(57)【要約】【課題】  せき板が外側に膨出するのを防止するせき板変形防止用スペーサを提供することにある。【解決手段】  型枠のせき板に内ばたと外ばたとを組み合わせ、これらを締付杆で固定するに際し、せき板と外ばたとの間に介在させる略直方体のせき板変形防止用スペーサ３１であって、前記締付杆が挿通する貫通孔３４が形成され、せき板との当接面に３２，３３おける前記貫通孔３４の周囲に、締付杆の端部に設けられた鍔部が当接するように該鍔部を収容する凹部３５が形成されている。【選択図】    図１
2005171662.tif 000002
【特許請求の範囲】
【請求項１】
型枠のせき板に内ばたと外ばたとを組み合わせ、これらを締付杆で固定するに際し、せき板と外ばたとの間に介在させる略直方体のせき板変形防止用スペーサであって、
前記締付杆が挿通する貫通孔が形成され、せき板との当接面における前記貫通孔の周囲に、締付杆の端部に設けられた鍔部が当接するように該鍔部を収容する凹部が形成されていることを特徴とするせき板変形防止用スペーサ。
【請求項２】
側面に、前記締付杆を前記貫通孔に挿入可能なスリットが形成されていることを特徴とする請求項１記載のせき板変形防止用スペーサ。
【請求項３】
前記貫通孔が、全体の質量バランス上、偏在して設けられていることを特徴とする請求項１または請求項２記載のせき板変形防止用スペーサ。
【請求項４】
空洞部が穿設されていることを特徴とする請求項１から請求項３のいずれか１項に記載のせき板変形防止用スペーサ。
【発明の詳細な説明】
【技術分野】
【０００１】
本発明は、コンクリート打設用型枠におけるせき板の変形を防止するためのせき板変形防止用スペーサに関する。
【背景技術】
【０００２】
図９は、コンクリート打設用型枠（以下、単に「型枠」と記す）１０の一部分の一例を示す図であり、この型枠１０は、片面がコンクリート打設面１２となるせき板１１の外側に内ばた１８と外ばた１９とを組み合わせた構成とされている。
【０００３】
この型枠１０の設置（建てつけ）について、図９を参照にしながら以下に説明すると、複数のせき板１１を一列に並べ、同様に、コンクリート打設面１２が対向するように複数のせき板１１をもう一列並べる。せき板１１に穿設された挿通孔１３に、対向するせき板１１を所定の間隔に保つ丸棒状のセパレータ１５の両端に設けられたコーン１４を挿通する。ついで、このコーン１４に、せき板１１の外側面から締付杆１６を螺合により取り付け、コーン１４と締付杆１６の基端部の鍔部１７との間でせき板１１を挟み込むようにしてせき板１１の間隔を保持する。
【０００４】
さらに、締付杆１６に丸パイプからなる内ばた１８及び外ばた１９を配置し、これらを支持する座金２０をナット２１により締め付けることで、内ばた１８を外ばた１９に当接させた状態で固定する。この内ばた１８及び外ばた１９を配設することによって、せき板１１がコンクリート打設時のコンクリート圧力によって外側に膨らまないようにされている。
【０００５】
ところで、図１０に示すように、締付杆１６を使用する場合に、ナット２１を締め付け過ぎると、コーン１４と鍔部１７とに挟まれたせき板１１がナット２１の締付力により引っ張られてしまい、外側に膨出させられる。これにより、コンクリート打設面１２が変形してしまい、この状態で型枠１０にコンクリートを流し込んで成形を行うとせき板１１の変形によってコンクリート壁の地肌面に膨らみが発生してしまうので、コンクリート壁の地肌面を平坦な状態にできないという問題があった。
【０００６】
この問題を解決するために、せき板と外ばたとの間にせき板変形防止用スペーサを介在させて、ナットの締め付け過ぎによるせき板の変形を防止する方法が用いられている。このせき板変形防止用スペーサは、鍔部と外ばたとの間に介在させる（例えば、特許文献１参照。）。
【０００７】
また、別のせき板変形防止用スペーサとして、Ｕ字形状の平板部を有したものが提供されている。このＵ字形状のせき板変形防止用スペーサは、作業効率を考慮して樹脂で形成されており、Ｕ字形状の平板部で締付杆を囲んで平板部の一方の側端面がせき板に当接し平板部の他方の側端面が外ばたに当接するものである（例えば、特許文献２参照。）。
【特許文献１】実公平７−６３５５号公報（第１頁、第１図）
【特許文献２】特開平１１−９３４１２号公報（段落番号０００８、第１図）
【発明の開示】
【発明が解決しようとする課題】
【０００８】
ところで、締付杆においては、押さえ座金とナットを挿着した後に外側端部を潰して、押さえ座金とナットが外れないようにした締付杆が広く使用されるようになっている。しかし、上述した特許文献１記載のせき板変形防止用スペーサをこの締付杆に適用する場合、この締付杆に先組みしなければならず、せき板変形防止用スペーサを後付けすることができないといった不満があった。また、このせき板変形防止用スペーサは、金属製であることにより、重くなってしまうという欠点があるため携帯性に劣るといった問題もあった。
【０００９】
また、上述した特許文献２記載のせき板変形防止用スペーサは、せき板と外ばたとをＵ字形状の平板の側端面により当接しているものであるが、鍔部を当接していないため、締付杆のナットを締め付け過ぎた場合に、鍔部とコーンに挟まれたせき板がナットの締付力により引っ張られるので、せき板が外側に膨出させられてしまうという問題があった。
また、図１１に示すように、締付杆１６が内ばた１８のすぐ脇に配置されている場合においては、締付杆１６と内ばた１８との間のスペースに余裕が無いことにより、せき板変形防止用スペーサ１０１を設置する余地がないので、このせき板変形防止用スペーサ１０１を設置することができないといった問題もあった。
【００１０】
この発明は、このような事情を考慮してなされたもので、その目的は、せき板が外側に膨出するのを防止するせき板変形防止用スペーサを提供することにある。
【課題を解決するための手段】
【００１１】
上記目的を達成するために、この発明は以下の手段を提供している。
請求項１に係る発明は、型枠のせき板に内ばたと外ばたとを組み合わせ、これらを締付杆で固定するに際し、せき板と外ばたとの間に介在させる略直方体のせき板変形防止用スペーサであって、前記締付杆が挿通する貫通孔が形成され、せき板との当接面における前記貫通孔の周囲に、締付杆の端部に設けられた鍔部が当接するように該鍔部を収容する凹部が形成されていることを特徴とするせき板変形防止用スペーサである。
【００１２】
この発明によれば、せき板変形防止用スペーサは、せき板と外ばたとの間に介在されている。ここで、当接面がせき板の外面と当接し、凹部に鍔部を収容するとともにこの凹部が鍔部外面と当接することにより、鍔部の位置を規制している。従って、せき板がナットの締付力により外側に膨出することを防止でき、コンクリートの地肌面を平面に保つことができる。
【００１３】
請求項２に係る発明は、側面に、前記締付杆を前記貫通孔に挿入可能なスリットが形成されていることを特徴とするせき板変形防止用スペーサである。
この発明によれば、締付杆を貫通孔に挿入可能なスリットが形成されていることにより、せき板変形防止用スペーサを締付杆に設置する際に、せき板変形防止用スペーサのスリットから締付杆を貫通孔に挿入できるので、容易に設置することができる。
【００１４】
請求項３に係る発明は、前記貫通孔が、全体の質量バランス上、偏在して設けられていることを特徴とするせき板変形防止用スペーサである。
この発明によれば、取付に際して常に規定の姿勢を維持するので、取り付けたあとにせき板変形防止用スペーサの姿勢を規定の姿勢に直さなければならないといった手間がかからない。この結果、取付作業時間を短縮させることができる。
【００１５】
請求項４に係る発明は空洞部が穿設されていることを特徴とするせき板変形防止用スペーサである。
この発明によれば、空洞部が穿設されていることにより、軽量化が図られているので、取り付け作業時の携帯性に優れている。
【発明の効果】
【００１６】
以上説明したように、この発明によれば、型枠のせき板が外側に膨出するのを防止することができる。この結果、せき板は、規定のコンクリート打設面を維持できるので、コンクリート壁の地肌面を正確に成形することができる。
【発明を実施するための最良の形態】
【００１７】
以下、図面を参照し、この発明の実施の形態について説明する。
図１は、この発明における実施の形態におけるせき板変形防止用スペーサを示す斜視図、図２は、この発明における実施の形態に係るせき板変形防止用スペーサを設置した場合の横断面図である。
図１に示すように、せき板変形防止用スペーサ３１は、図２に示すせき板１１に内ばた１８と外ばた１９とを組み合わせた際に、せき板１１と外ばた１９との間に締付杆１６を覆うようにして介挿されるものである。せき板変形防止用スペーサ３１は、略直方体に樹脂で一体成形されており、せき板１１及び外ばた１９と対向する面が当接面３２，３３とされている。せき板変形防止用スペーサ３１は、締付杆１６を挿通するために形成された貫通孔３４と、この貫通孔３４の両端部周囲に形成された凹部３５と、図１において凹部３５を挟んで上側の当接面３２が形成されている第１の当接部３６と、凹部３５を挟んで下側の当接面３３が形成されている第２の当接部３７とから構成されている。このせき板変形防止用スペーサ３１の幅Ｗは、締付杆１６の鍔部１７の外径と略等しくされており、また、このせき板変形防止用スペーサ３１のせき板１１側から外ばた１９側への長さＬは、内ばた１８の外径と略等しくされている。
【００１８】
凹部３５は、図２に示す締付杆１６の鍔部１７を収納するとともに、凹部３５の底面である鍔部当接面３８が鍔部１７の端面３９（図２において、鍔部１７の外ばた１９と対向する側の面）と当接するものである。
せき板変形防止用スペーサ３１の凹部３５の側面４０には、スリット４１が形成されている。このスリット４１は、図２に示すせき板１１側から外ばた１９側に延在して形成されている。また、このスリット４１は、側面４０から貫通孔３４まで延在して形成されている。このスリット４１には、側面４０側から貫通孔３４側に向けてスリット４１の間隔が漸次狭まる傾斜面４２が形成されている。この傾斜面４２が形成されていることにより、貫通孔３４に締付杆１６を挿入しやすくなっている。
【００１９】
上記の構成からなるせき板変形防止用スペーサ３１の使用方法について説明する。
図２に示すように、せき板変形防止用スペーサ３１を締付杆１６に取り付けるには、締付杆１６をせき板変形防止用スペーサ３１のスリット４１から押し込み、貫通孔３４に相対的に挿入する。せき板変形防止用スペーサ３１を設置した後、締付杆１６の上下に丸パイプからなる一対の外ばた１９を配置し、これらを支持する座金２０をナット２１により締め付け、外ばた１９を内ばた１８及びせき板変形防止用スペーサ３１に当接させて固定する。
【００２０】
このとき、せき板１１側において、せき板変形防止用スペーサ３１の当接面３２，３３は、せき板１１に当接する。また、凹部３５の鍔部当接面３８は、鍔部１７の端面３９に当接する。さらに、外ばた１９側において、当接面３２，３３は、外ばた１９に当接している。これらによって、せき板１１の外ばた１９側への変形を防止している。すなわち、ナット２１の締付力により、コーン１４と鍔部１７との間に挟み込まれたせき板１１には、引張力が作用するが、凹部３５の鍔部当接面３８が鍔部１７の端面３９と当接しているにより、鍔部１７の外ばた１９側に向けた移動を規制されているので、せき板１１が外ばた１９側に膨出せず平面に維持される。この結果、このせき板１１は、コンクリート壁の地肌面を平坦に成形することができる。
【００２１】
上記の構成によれば、締付杆１６が内ばた１８のすぐ脇に配置されている場合においても、このせき板変形防止用スペーサ３１は、幅Ｗが締付杆１６の鍔部１７の外径と略等しくなっていることにより、設置するためのスペースを必要としない。したがって、締付杆１６が内ばた１８のすぐ脇に配置されている場合のように十分なスペースが無くても、取り付けることができる。
また、凹部３５が両面に形成されていることにより、使用する際に両方から締付杆１６に挿入することが可能であるので、せき板変形防止用スペーサ３１を取り付ける際にせき板変形防止用スペーサ３１の取付方向を確認する必要が無く、手間がかからず、取付作業時間を短縮することができる。
さらに、樹脂で一体形成されているため、製造が容易である。また、軽量化が図られているので、使い勝手がよくなり、作業効率を向上させることができる。
【００２２】
なお、上記の実施の形態においては、せき板変形防止用スペーサ３１を、せき板１１と外ばた１９とを組み合わせる前に設置したが、せき板１１と外ばた１９とを組み合わせた後に設置してもよい。
【００２３】
また、上記の実施の形態においては、せき板変形防止用スペーサ３１をベニヤ合板等からなるせき板１１に用いたが、プラスチック製のせき板１１に用いても良い。
また、上記の実施の形態においては、せき板１１に内ばた１８と外ばた１９とを組み合わせたものを用いたが、せき板１１のコンクリート打設面１２と反対側の面に桟木を釘打ちした構造のせき板を用いても良い。この場合、図１に示すせき板変形防止用スペーサ３１の長さＬは、桟木の外ばた１９側への高さと略同一とされる。
【００２４】
以下、図３から図９において、本発明の形状を変更した場合の実施例について説明する。なお、上記の実施の形態における図１および図２と同一構成要素には同一符号を付し、その説明を省略する。
【実施例１】
【００２５】
図３は、上記の実施の形態の図１に示すせき板変形防止用スペーサ３１の第２の当接部３７に、円柱状に形成されたバランサ５１を埋設することにより、第１の当接部３６と第２の当接部３７との重量を偏在させた場合の実施例である。このバランサ５１は、鉄などの金属製により形成されたものである。なお、バランサ５１は円柱状に形成されたものであるが、これに限るものではなく、例えば角柱状、球状等により形成されたものであっても良い。このせき板変形防止用スペーサ３１は、図２に示すようにせき板１１と外ばた１９との間に取り付けられると、第２の当接部３７が下方に第１の当接部３６が上方になるので、より確実に規定の姿勢を維持することができる。この結果、取り付けの際に、せき板変形防止用スペーサ３１を規定の姿勢に直す必要がなくなり、手間がかからず、取付作業時間を短縮することができる。
【実施例２】
【００２６】
図４は、図１に示す実施の形態のせき板変形防止用スペーサ３１の貫通孔３４の位置を変更した場合の実施例である。すなわち、このせき板変形防止用スペーサ３１は、貫通孔３４及び凹部３５を第１の当接部３６側によせて形成されており、第１の当接部３６の高さ寸法Ｈ１と第２の当接部３７の高さ寸法Ｈ２との関係がＨ１＜Ｈ２とされ、全体の質量バランスを第２の当接部３７よりに偏在して設けられている。これにより、第２の当接部３７の重量が第１の当接部３６の重量と比較して重くなる。従って、せき板変形防止用スペーサ３１は、図２に示すようにせき板１１と外ばた１９との間に取り付けられると、第２の当接部３７が下方に第１の当接部３６が上方になるので、確実に規定の姿勢を維持することができる。この結果、取り付けの際に、せき板変形防止用スペーサ３１を規定の姿勢に直す必要がなくなるので、取付作業を効率よく行うことができる。
【実施例３】
【００２７】
図５は、図１に示す実施の形態において、第１の当接部３６及び第２の当接部３７に図２に示すせき板１１側から外ばた１９側に向けて延在して空洞部５２，５３が穿設されている場合の実施例である。すなわち、このせき板変形防止用スペーサ３１の第１の当接部３６及び第２の当接部３７は、筒状に形成されていることにより、より軽量化が図られているため、携帯性に優れており、取り付け作業時の作業性を向上させることができるとともに、材料の節約による低コスト化を実現することができる。
【実施例４】
【００２８】
図６は、図５に示す実施例において、第１の当接部３６の空洞部５２及び第２の当接部３７の空洞部５３にＸ字形状の補強リブ５４，５５が設けられている場合の実施例である。すなわち、Ｘ字形状の補強リブ５４，５５とが、図２に示すせき板１１側から外ばた１９側に向けて延在して設けられていることにより、軽量化が図られている第１の当接部３６及び第２の当接部３７の保持力が増すので、第１の当接部３６及び第２の当接部３７の変形を防止することができ、せき板１１の変形を防止することができる。
【実施例５】
【００２９】
図７は、図６に示す実施例において、第２の当接部３７の空洞部５３に中実部５６が形成されているとともに、貫通孔３４の位置を変更させた場合の実施例である。すなわち、中実部５６が形成され、かつ、貫通孔３４が第１の当接部３６側によせて形成されており、第１の当接部３６の高さ寸法Ｈ１と第２の当接部３７の高さ寸法Ｈ２との関係がＨ１＜Ｈ２とされていることにより、図２に示すようにせき板１１と外ばた１９との間にせき板変形防止用スペーサ３１が取り付けられると、第２の当接部３７が下方に第１の当接部３６が上方になるので、より確実に規定の姿勢を維持することができる。この結果、取り付けの際に、せき板変形防止用スペーサ３１の姿勢を修正する必要がなくなり、作業性を向上させることができる。
【実施例６】
【００３０】
図８は、図７に示すせき板変形防止用スペーサ３１の凹部３５に、空洞部５７ａ〜５７ｄが形成されている場合の実施例である。このせき板変形防止用スペーサ３１は、凹部３５に空洞部５７ａ〜５７ｄを設けたことにより、軽量化することが実現できる。この結果、携帯性が向上するので、作業性を向上させることができる。
【図面の簡単な説明】
【００３１】
【図１】この発明における実施の形態におけるせき板変形防止用スペーサを示す斜視図である。
【図２】この発明における実施の形態に係るせき板変形防止用スペーサを設置した場合の横断面図である。
【図３】この発明における別の実施例におけるせき板変形防止用スペーサを示す斜視図である。
【図４】この発明における別の実施例におけるせき板変形防止用スペーサを示す斜視図である。
【図５】この発明における別の実施例におけるせき板変形防止用スペーサを示す斜視図である。
【図６】この発明における別の実施例におけるせき板変形防止用スペーサを示す斜視図である。
【図７】この発明における別の実施例におけるせき板変形防止用スペーサを示す斜視図である。
【図８】この発明における別の実施例におけるせき板変形防止用スペーサを示す斜視図である。
【図９】せき板と外ばたとを設置した場合の横断面図である。
【図１０】せき板が外側に膨出した場合の横断面図である。
【図１１】従来のせき板変形防止用スペーサを示す縦断面図である。
【符号の説明】
【００３２】
３１  せき板変形防止用スペーサ
３２  当接面
３３  当接面
３４  貫通孔
３５  凹部
【図１】
2005171662.tif 000003
【図２】
2005171662.tif 000004
【図３】
2005171662.tif 000005
【図４】
2005171662.tif 000006
【図５】
2005171662.tif 000007
【図６】
2005171662.tif 000008
【図７】
2005171662.tif 000009
【図８】
2005171662.tif 000010
【図９】
2005171662.tif 000011
【図１０】
2005171662.tif 000012
【図１１】
2005171662.tif 000013